(57)【要約】【課題】  切妻屋根を低コストで運搬することのできると共に現場の工期をより短縮することのできるプレファブ建物を提供することを課題とする。【解決手段】  工場にて、本柱、間柱、筋交い及び壁板からなるパネル状の壁１１、１２、１３、１４を製造する。また、工場にて、梁、桁、筋交い及び屋根材からなるパネル状の屋根半体１５、１６を製造する。そして、屋根半体１５、１６同士を繋ぐためのＶ字金具１７、１７及びタイロッド１８、１８を製造する。加えて、雨仕舞いのために屋根カバー１９を準備する。【効果】  工場で平板パネル状に屋根半体を製造し、出荷する。したがって、運搬コストを圧縮することができる。従来の骨組が不要であり、骨組の据え付け工程を省くことができる。すなわち、パネル状の壁を立て、これらの壁に屋根を載せるだけ、組み付けを終えることができ、現場での工期を大幅に短縮することができる。【選択図】      図１
0003112312.tif 000002
【実用新案登録請求の範囲】
【請求項１】
壁及び屋根を予め工場で製造し、現場で組み立てる鋼製プレファブ建物において、
前記屋根は、切妻屋根であって、工場で製造した２枚の屋根半体と、これらの屋根半体を現場で突き合わせたときに屋根半体同士を繋ぐＶ字金具と、屋根半体を現場で突き合わせたときに屋根半体の中間部同士を繋ぐタイロッドとからなり、
前記壁と共に前記屋根半体を、工場から現場へ平積み状態で運搬できるように、屋根を構成したことを特徴とする鋼製プレファブ建物。
【請求項２】
本柱、間柱、筋交い及び壁板からなり予め工場でパネル状に構成した壁と、梁、桁、筋交い及び屋根材からなり予め工場で製造した屋根半体と、前記壁同士若しくは前記屋根半体と壁とを結合するボルトとからなり、
前記壁と共に前記屋根半体を、工場から現場へ平積み状態で運搬できるように、パネル状にしたことを特徴とする鋼製プレファブ建物。
【考案の詳細な説明】
【技術分野】
【０００１】
本考案は、鋼製プレファブ建物の改良に関するものである。
【背景技術】
【０００２】
在来の工法では、基礎に土台を敷き、この土台に柱を立て、これらの柱の上に屋根を掛け、壁や屋根を仕上げる。そのために、現場での工数が嵩む。
そこで、壁や屋根を予め工場で製造し、現場で単に組み立てるところのプレファブ工法が提案されてきた（例えば、特許文献１参照。）。
【特許文献１】特開２００４−３１６０７６公報（図１、図２）
【０００３】
特許文献１を次図に基づいて説明する。
図７は従来の技術の基本構成を説明する図である。
（ａ）にて、形鋼を組み合わせてなる骨組１０１、４枚の壁１０２〜１０５、３枚の分割屋根１０６〜１０８及び２枚の二階床１０９、１１０を工場で製造し、現場に持ち込む。
【０００４】
現場では、骨組１０１を基礎に固定し、この骨組１０１に壁１０２〜１０５、分割屋根１０６〜１０８及び二階床１０９、１１０を取り付ける。
（ｂ）は完成したプレファブ建物１００を示す。
【０００５】
図８は建築要素の従来の運搬方法を示す図である。
（ａ）に示すとおり、壁１０２〜１０５、分割屋根１０６〜１０８及び二階床１０９、１１０は、平板状パネルであるため、トラック１１１に平積み状態で載せることができる。そのため、運搬賃は安くなる。
【０００６】
なお、図７で説明したプレファブ建物１００は、陸屋根又は片流れ屋根であるから、分割屋根１０６〜１０８の運搬は容易である。
しかし、建物には切妻屋根が多く採用される。
【０００７】
図８（ｂ）は従来の切妻屋根１１２の運搬形態を示し、切妻屋根１１２では、屋根半体１１３と屋根半体１１４とを突き合わせて、Ｖ字形にするが、突き合わせ部１１５を丈夫にする必要があるため、工場では切妻屋根１１２を一体的に製造する。そして、トラック１１１で運搬する。なお、屋根巾が大きい場合には、裾を分離する。この場合であっても、要部は切妻屋根１１２と同形になる。
【０００８】
図から明らかなように、切妻屋根１１２は上へ凸であるため、積載効率が悪く、運搬費用が嵩む。
そこで、切妻屋根を低コストで運搬することのできるプレファブ建物が必要となる。
【０００９】
また、従来のプレファブ建物は、図７で説明したとおりに骨組１０１が必須であった。骨組１０１を据える工程と、骨組１０１に壁１０２〜１０５、分割屋根１０６〜１０８及び二階床１０９、１１０を取り付ける組み付け工程とが必要である。２工程が必要であるため、プレファブの割には工期が長く、工期の短縮化が求められる。
【考案の開示】
【考案が解決しようとする課題】
【００１０】
本考案は、切妻屋根を低コストで運搬することのできると共に現場の工期をより短縮することのできるプレファブ建物を提供することを課題とする。
【課題を解決するための手段】
【００１１】
請求項１に係る考案は、壁及び屋根を、予め工場で製造し、現場で組み立てる鋼製プレファブ建物において、
前記屋根は、切妻屋根であって、工場で製造した２枚の屋根半体と、これらの屋根半体を現場で突き合わせたときに屋根半体同士を繋ぐＶ字金具と、屋根半体を現場で突き合わせたときに屋根半体の中間部同士を繋ぐタイロッドとからなり、
前記壁と共に前記屋根半体を、工場から現場へ平積み状態で運搬できるように、屋根を構成したことを特徴とする。
【００１２】
工場で平板パネル状に屋根半体を製造し、出荷する。現場の空き地でＶ字金具で屋根半体同士で結合し、屋根半体同士の中間部をタイロッドで連結する。これで、切妻屋根が完成する。この切妻屋根をレッカークレーンで吊り上げて、壁の上に載せる。屋根半体と壁をボルトで連結し、雨仕舞いを施工することで、鋼製プレファブ建物が完成する。
【００１３】
請求項２に係る考案は、本柱、間柱、筋交い及び壁板からなり予め工場でパネル状に構成した壁と、梁、桁、筋交い及び屋根材からなり予め工場で製造した屋根半体と、前記壁同士若しくは前記屋根半体と壁とを結合するボルトとからなり、
前記壁と共に前記屋根半体を、工場から現場へ平積み状態で運搬できるように、パネル状にしたことを特徴とする。
【考案の効果】
【００１４】
請求項１に係る考案では、工場で平板パネル状に屋根半体を製造し、出荷する。したがって、運搬コストを圧縮することができる。
【００１５】
請求項２に係る考案では、壁は本柱、間柱、筋交い及び壁板からなり予め工場でパネル状に構成し、屋根は梁、桁、筋交い及び屋根材からなり予め工場でパネル状に構成した。
従来の骨組が不要であり、骨組の据え付け工程を省くことができる。すなわち、請求項２によれば、パネル状の壁を立て、これらの壁に屋根を載せるだけで組み付けを終えることができ、現場での工期を大幅に短縮することができる。
【考案を実施するための最良の形態】
【００１６】
本考案を実施するための最良の形態を添付図に基づいて以下に説明する。
図１は本考案に係るプレファブ建物の分解斜視図であり、工場にて、本柱、間柱、筋交い及び壁板からなるパネル状の壁１１、１２、１３、１４を製造する。また、工場にて、梁、桁、筋交い及び屋根材からなるパネル状の屋根半体１５、１６を製造する。そして、屋根半体１５、１６同士を繋ぐためのＶ字金具１７、１７及びタイロッド１８、１８を製造する。加えて、雨仕舞いのために屋根カバー１９を準備する。
なお、本考案で、屋根半体とは屋根の半分を意味する。
【００１７】
図２は本考案に係る建築要素の運搬説明図であり、トラック２１にパネル状の屋根半体１５、１６、パネル状の壁１１〜１４を平積み状態で積む。この状態で工場から現場へ運搬する。壁１１〜１４だけでなく、屋根半体１５、１６も同時に運搬できるため、運搬費用を圧縮することができる。
【００１８】
以下、現場における作業を順に説明する。
図３は本考案に係る壁の施工図である。
（ａ）にて、基礎２２（土台がある場合は土台）に、壁１１、１２を立て、アンカーボルト２５、２５又はボルトで固定する。
（ｂ）にて、妻側の壁１４を立て、基礎２２にアンカーボルト２５、２５又はボルトで固定する。さらに、壁１４を隣接する壁１１、１２に金具やボルトで連結する。図１に示す壁１３も同様である。
【００１９】
図４は本考案に係る屋根の地組図である。なお、ここでの地組は、現場付近の空き地で予め組み立てることを意味する。
（ａ）にて、トラック２１の荷台に残っていた屋根半体１５、１６を降ろす。
（ｂ）に示すように、地面２６にストッパーブロック２７及び支持ブロック２８、２９を置き、先ず、一方の屋根半体１５をセットする。次に、他方の屋根半体１６を白抜き矢印のごとく寄せて、屋根半体１５に当てる。
【００２０】
（ｃ）にて、屋根半体１５、１６の突き合わせ部をＶ字金具１７、１７（一方の１７は屋根の奥側）で連結する。そして、屋根半体１５、１６の中間部同士をタイロッド１８、１８（一方の１８は奥側）で連結する。これで、（ｂ）に示すブロック２８、２９が無くとも、屋根３０を自立させることができる。ただし、完全な耐久性は無い。
なお、タイロッド１８、１８は２以上であれば、本数は任意である。
【００２１】
図５は本考案に係る屋根の上架説明図であり、地組した屋根３０をレッカークレーン３１で吊り上げ、図３（ｂ）で施工済みの壁１１〜１４の上に載せ、金具及びボルトで壁１１〜１４に屋根３０を連結する。これで、屋根３０は十分な耐久性を発揮する。
図６は本考案に係る鋼製プレファブ建物の完成図であり、屋根３０の頂部に屋根カバー１９を載せ、固定することで、建物が完成する。
【００２２】
従来の骨組が不要であり、骨組の据え付け工程を省くことができる。すなわち、本考案によれば、パネル状の壁１１〜１４を立て、これらの壁１１〜１４に地組した屋根３０を載せるだけで主たる組み付けを終えることができ、現場での工期を大幅に短縮することができる。
【００２３】
尚、本考案は、平屋の倉庫状の建物を例示したが、二階や三階の建物、床を敷いた住居やオフィスにも適用できる。したがって、建物の用途は格別に限定しない。
【産業上の利用可能性】
【００２４】
本考案は、切妻屋根を含むプレファブ建物に好適である。
【図面の簡単な説明】
【００２５】
【図１】本考案に係るプレファブ建物の分解斜視図である。
【図２】本考案に係る建築要素の運搬説明図である。
【図３】本考案に係る壁の施工図である。
【図４】本考案に係る屋根の地組図である。
【図５】本考案に係る屋根の上架説明図である。
【図６】本考案に係る鋼製プレファブ建物の完成図である。
【図７】従来の技術の基本構成を説明する図である。
【図８】建築要素の従来の運搬方法を示す図である。
【符号の説明】
【００２６】
１１〜１４…壁、１５、１６…屋根半体、１７…Ｖ字金具、１８…タイロッド、２１…トラック。
【図１】
0003112312.tif 000003
【図２】
0003112312.tif 000004
【図３】
0003112312.tif 000005
【図４】
0003112312.tif 000006
【図５】
0003112312.tif 000007
【図６】
0003112312.tif 000008
【図７】
0003112312.tif 000009
【図８】
0003112312.tif 000010